(57)【要約】【課題】像保持手段を有する着脱ユニットを装置本体に対して着脱する際、着脱ユニットの着脱時の移動における不安定な動きに左右されることがなく清掃手段を露光手段の発光面に安定して接触させて当該発光面を清掃することができる画像形成装置を提供する。【解決手段】画像形成装置は、像を保持する像保持手段を有し、像保持手段の軸方向に沿う方向に移動することで装置本体に着脱可能に装着される着脱ユニットと、装置本体に設けられ、着脱ユニットが装着された段階で像保持手段と所要の間隔をあけて対向する発光面から像保持手段を露光する露光手段と、装置本体において着脱ユニットの装着するときの先端側の部分を嵌め入れて収容した状態で着脱ユニットの着脱するときの移動に伴って移動するよう設けられ、露光手段２３の発光面２３２ａに接触して発光面２３２ａを清掃する清掃手段を有する移動手段６とを備えている。【選択図】図７
2020148944.tif 000002
【特許請求の範囲】
【請求項１】
像を保持する像保持手段を有し、前記像保持手段の軸方向に沿う方向に移動することで装置本体に着脱可能に装着される着脱ユニットと、
前記装置本体に設けられ、前記着脱ユニットが装着された段階で前記像保持手段と所要の間隔をあけて対向する発光面から前記像保持手段を露光する露光手段と、
前記装置本体において前記着脱ユニットの装着するときの先端側の部分を収容した状態で当該着脱ユニットの着脱するときの移動に伴って移動するよう配置され、前記露光手段の発光面に接触して当該発光面を清掃する清掃手段を有する移動手段と、
を備えている画像形成装置。
【請求項２】
前記装置本体には、前記移動手段を前記発光面に対する距離を保って移動させるよう案内する案内部が設けられており、
前記移動手段には、前記案内部に案内される被案内部が設けられている請求項１に記載の画像形成装置。
【請求項３】
前記移動手段は、前記装置本体の前記着脱ユニットが装着されるときの入口部分に、当該着脱ユニットの装着前および取外し後に存在している請求項１又は２に記載の画像形成装置。
【請求項４】
前記装置本体には、前記移動手段を前記装置本体の前記入口部分に停止させた状態で固定する固定突起が設けられており、
前記移動手段には、前記固定突起が嵌め込まれて位置が固定される被固定部が設けられている請求項３に記載の画像形成装置。
【請求項５】
前記移動手段には、前記着脱ユニットの先端側の部分における一部が嵌め合わされる嵌合部が設けられており、
前記着脱ユニットの先端側の部分には、前記嵌合部に嵌め合わされる被嵌合部が設けられている請求項１乃至４のいずれかに記載の画像形成装置。
【請求項６】
前記装置本体には、前記移動手段を前記装置本体の前記入口部分に停止させた状態で固定する弾性変形可能な固定突起が設けられており、
前記移動手段には、前記固定突起が嵌め込まれて位置が固定される開口形状の被固定部が設けられており、
前記着脱ユニットの先端側の部分には、前記移動手段における前記被固定部に嵌め合わされるとともに、当該被固定部に嵌め込まれた前記装置本体における前記固定突起を当該被固定部から押し出すよう弾性変形させる嵌合突起が設けられている請求項３に記載の画像形成装置。
【請求項７】
前記着脱ユニットとして、前記像保持手段に保持させる像の色が互いに異なるよう構成された複数の着脱ユニットを備え、
前記装置本体に、前記複数の着脱ユニットを前記保持させる像の色で区別して着脱可能に装着する複数の装着部を設けており、
前記移動手段は、前記複数の装着部にそれぞれ配置されているとともに、前記複数の着脱ユニットを前記保持させる像の色別に嵌め入れ可能にする位置又は形状からなる識別部がそれぞれ設けられており、
前記複数の着脱ユニットの各先端の部分には、前記識別部のいずれか１つと一致して嵌め入れが許容される位置又は形状からなる被識別部が設けられている請求項３に記載の画像形成装置。
【請求項８】
前記装置本体の複数の装着部には、前記複数の移動手段を前記各装着部の前記着脱ユニットが装着されるときの入口部分にそれぞれ停止した状態で固定する弾性変形可能な固定突起がそれぞれ設けられており、
前記複数の移動手段には、前記複数の装着部における前記固定突起が嵌め込まれて位置が固定される開口形状の被固定部がそれぞれ設けられており、
前記複数の着脱ユニットの先端側の部分には、前記複数の移動手段における前記被固定部にそれぞれ嵌め合わされるとともに、当該被固定部に嵌め込まれた前記装着部における前記固定突起を当該被固定部からそれぞれ押し出すよう弾性変形させる嵌合突起がそれぞれ設けられており、
前記複数の着脱ユニットにおける前記被識別部が、前記複数の移動手段における前記識別部に一致しないときに、当該一致しない着脱ユニットにおける前記嵌合突起が、当該着脱ユニットの先端側の部分と対峙する前記移動手段における前記被固定部に嵌め合わされた前記固定突起を弾性変形させることができない位置関係に保たれるよう構成されている請求項７に記載の画像形成装置。
【発明の詳細な説明】
【技術分野】
【０００１】
この発明は、画像形成装置に関するものである。
【背景技術】
【０００２】
特許文献１には、像を保持する像保持体を有してその軸方向に移動することで本装置に対して着脱可能に設けられる像保持体ユニットに、その軸方向に移動することに伴って清掃部の清掃面が変化することで光照射面を清掃する清掃手段を設けた画像形成装置が記載されている。
【０００３】
特許文献２には、挿抜するドラム現像ユニットの挿入方向の先頭になる部分に、露光用のＬＥＤヘッドレンズの表面をクリーニングするヘッドクリーナを設けた画像形成装置が記載されている。
【０００４】
特許文献３には、装置本体に対して着脱自在に配設され、像担持体を備えた画像形成ユニットに、その抜き出す際に露光装置を清掃する清掃部材を設けている画像形成装置が記載されている。
【０００５】
特許文献４には、露光手段の光出射面を清掃するクリーニング部材を像担持体と露光手段の光出射面との間に挟み込んだ状態で露光手段の長手方向に沿って移動させて光出射面を清掃する露光手段のクリーニング装置を、スクリュー軸とこれに螺合するスライダを含んで構成される駆動機構により露光手段の長手方向に沿って往復動させるように設けた画像形成装置が記載されている。
【先行技術文献】
【特許文献】
【０００６】
【特許文献１】特開２０１５−１８１３２号公報
【特許文献２】特開２０１５−６０１３２号公報
【特許文献３】特開２０１４−２３１２０７号公報
【特許文献４】特開２０１１−２５６３１号公報
【発明の概要】
【発明が解決しようとする課題】
【０００７】
この発明は、像保持手段を有する着脱ユニットを装置本体に対して着脱する際、着脱ユニットの着脱時の移動における不安定な動きに左右されることがなく清掃手段を露光手段の発光面に安定して接触させて当該発光面を清掃することができる画像形成装置を提供するものである。
【課題を解決するための手段】
【０００８】
請求項１に記載の発明の画像形成装置は、
像を保持する像保持手段を有し、前記像保持手段の軸方向に沿う方向に移動することで装置本体に着脱可能に装着される着脱ユニットと、
前記装置本体に設けられ、前記着脱ユニットが装着された段階で前記像保持手段と所要の間隔をあけて対向する発光面から前記像保持手段を露光する露光手段と、
前記装置本体において前記着脱ユニットの装着するときの先端側の部分を収容した状態で当該着脱ユニットの着脱するときの移動に伴って移動するよう設けられ、前記露光手段の発光面に接触して当該発光面を清掃する清掃手段を有する移動手段と、
を備えているものである。
【０００９】
また、請求項２に記載の発明の画像形成装置は、上記請求項１に係る発明において、前記装置本体には、前記移動手段を前記発光面に対する距離を保って移動させるよう案内する案内部が設けられており、前記移動手段には、前記案内部に案内される被案内部が設けられているものである。
請求項３に記載の発明の画像形成装置は、上記請求項１又は２に係る発明において、前記移動手段は、前記装置本体の前記着脱ユニットが装着されるときの入口部分に、当該着脱ユニットの装着前および取外し後に存在しているものである。
請求項４に記載の発明の画像形成装置は、上記請求項３に係る発明において、前記装置本体には、前記移動手段を前記装置本体の前記入口部分に停止させた状態で固定する固定突起が設けられており、前記移動手段には、前記固定突起が嵌め込まれて位置が固定される被固定部が設けられているものである。
請求項５に記載の発明の画像形成装置は、上記請求項１乃至４のいずれかに係る発明において、前記移動手段には、前記着脱ユニットの先端側の部分における一部が嵌め合わされる嵌合部が設けられており、前記着脱ユニットの先端側の部分には、前記嵌合部に嵌め合わされる被嵌合部が設けられているものである。
【００１０】
請求項６に記載の発明の画像形成装置は、上記請求項３に係る発明において、
前記装置本体には、前記移動手段を前記装置本体の前記入口部分に停止させた状態で固定する弾性変形可能な固定突起が設けられており、
前記移動手段には、前記固定突起が嵌め込まれて位置が固定される開口形状の被固定部が設けられており、
前記着脱ユニットの先端側の部分には、前記移動手段における前記被固定部に嵌め合わされるとともに、当該被固定部に嵌め込まれた前記装置本体における前記固定突起を当該被固定部から押し出すよう弾性変形させる嵌合突起が設けられているものである。
【００１１】
請求項７に記載の発明の画像形成装置は、上記請求項３に係る発明において、
前記着脱ユニットとして、前記像保持手段に保持させる像の色が互いに異なるよう構成された複数の着脱ユニットを備え、
前記装置本体に、前記複数の着脱ユニットを前記保持させる像の色で区別して着脱可能に装着する複数の装着部を設けており、
前記移動手段は、前記複数の装着部にそれぞれ配置されているとともに、前記複数の着脱ユニットを前記保持させる像の色別に嵌め入れ可能にする位置又は形状からなる識別部がそれぞれ設けられており、
前記複数の着脱ユニットの各先端の部分には、前記識別部のいずれか１つと一致して嵌め入れが許容される位置又は形状からなる被識別部が設けられているものである。
請求項８に記載の発明の画像形成装置は、上記請求項７に係る発明において、
前記装置本体の複数の装着部には、前記複数の移動手段を前記各装着部の前記着脱ユニットが装着されるときの入口部分にそれぞれ停止した状態で固定する弾性変形可能な固定突起がそれぞれ設けられており、
前記複数の移動手段には、前記複数の装着部における前記固定突起が嵌め込まれて位置が固定される開口形状の被固定部がそれぞれ設けられており、
前記複数の着脱ユニットの先端側の部分には、前記複数の移動手段における前記被固定部にそれぞれ嵌め合わされるとともに、当該被固定部に嵌め込まれた前記装着部における前記固定突起を当該被固定部からそれぞれ押し出すよう弾性変形させる嵌合突起がそれぞれ設けられており、
前記複数の着脱ユニットにおける前記被識別部が、前記複数の移動手段における前記識別部に一致しないときに、当該一致しない着脱ユニットにおける前記嵌合突起が、当該着脱ユニットの先端側の部分と対峙する前記移動手段における前記被固定部に嵌め合わされた前記固定突起を弾性変形させることができない位置関係に保たれるよう構成されているものである。
【発明の効果】
【００１２】
請求項１に記載の発明によれば、像保持手段を有する着脱ユニットを装置本体に対して着脱する際、着脱ユニットの着脱時の移動における不安定な動きに左右されることがなく清掃手段を露光手段の発光面に安定して接触させて当該発光面を清掃することができる。
【００１３】
請求項２に記載の発明によれば、装置本体に案内部が設けられず、移動手段に被案内部が設けられない場合に比べて、着脱ユニットの着脱時の移動における不安定な動きに左右されることがなく、清掃手段を露光手段の発光面に更に安定して接触させて当該発光面を清掃することができる。
請求項３に記載の発明によれば、移動手段を装置本体の入口部分に着脱ユニットの装着前および取外し後に存在させない場合に比べて、着脱ユニットの移動手段に嵌め入れて収容する作業がしやくなり、また着脱ユニットの移動が安定して行われる。
請求項４に記載の発明によれば、移動手段が装置本体の着脱ユニットが装着されるときの入口部分に停止した状態で固定されない場合に比べて、着脱ユニットの装着時に移動手段が入口部分に確実に存在し、その移動手段への着脱ユニットの収容作業がしやくなる。
請求項５に記載の発明によれば、移動手段に嵌合部が設けられず、着脱ユニットの先端側の部分に被嵌合部が設けられない場合に比べて、移動手段は着脱ユニットの先端側の部分を確実に収容して着脱ユニットの着脱時の移動に伴って確実に移動させられる。
【００１４】
請求項６に記載の発明によれば、移動手段が装置本体の着脱ユニットが装着されるときの入口部分に停止した状態で固定されない場合に比べて、着脱ユニットの装着時には、その着脱ユニットの先端側の部分を移動手段に嵌め入れて収容することで移動手段を装置本体に対して移動可能な状態にすることができ、また着脱ユニットの取り外し時には、その着脱ユニットの先端側の部分を移動手段から取り外すことで移動手段を装置本体に対して固定させた状態にすることができる。
請求項７に記載の発明によれば、移動手段に識別部が設けられず、着脱ユニットに被識別部が設けられない場合に比べて、保持する像の色が互いに異なるよう構成された複数の着脱ユニットを使用する場合であっても、着脱ユニットの先端側の部分を移動手段に収容させる段階で着脱ユニットの誤装着を早期に防ぐことができる。
請求項８に記載の発明によれば、着脱ユニットを適合しない移動手段に収容しようとした場合、その移動手段が移動することがなく、その着脱ユニットの誤装着を確実に防ぐことができる。
【図面の簡単な説明】
【００１５】
【図１】実施の形態１に係る画像形成装置を示す概略斜視図である。
【図２】図１の画像形成装置の構成を示す概要図である。
【図３】図１の画像形成装置における一部（作像装置）を示す概要断面図である。
【図４】着脱ユニットを異なる角度から見たときの状態で示す概略斜視図である。
【図５】複数の着脱ユニットが装着された装着部の状態を示す概略斜視図である。
【図６】複数の着脱ユニットを装着する装着部を示す概略斜視図である。
【図７】図６の装着部において１つの移動部材を移動させたときの状態を示す概略斜視図である。
【図８】移動部材を異なる角度から見たときの状態で示す斜視図である。
【図９】移動部材と装着部の構成を異なる角度から見たときの状態で示す斜視図である。
【図１０】移動部材の構成を示す断面概要図である。
【図１１】着脱ユニットの先端側の部分を示す一部斜視図である。
【図１２】着脱ユニットの先端側の部分を移動部材に収容した状態を示す一部斜視図である。
【図１３】着脱ユニットの先端側の部分を移動部材に収容する前の状態と収容した後の状態を示す断面概要図である。
【図１４】移動部材における識別部と着脱ユニットの先端側部分における被識別部との構成を示す概要図である。
【図１５】移動部材に誤った着脱ユニットの先端側の部分を誤装着したときの状態を示す断面概要図である。
【発明を実施するための形態】
【００１６】
以下、この発明を実施するための形態について図面を参照しながら説明する。
【００１７】
［実施の形態１］
図１および図２には、実施の形態１に係る画像形成装置１が示されている。図１を含む他の図面中に符号Ｘ，Ｙ，Ｚを付して示す矢印は、その各図面において想定した幅、高さおよび奥行の各方向を示す。また図２等においてＸ，Ｙの方向の矢印が交わる部分における丸印の記号は、Ｚの方向が図面の垂直下方に向いていることを示している。
【００１８】
＜画像形成装置＞
画像形成装置１は、電子写真方式等の画像形成方式を利用して、現像剤としてのトナーで構成される画像を記録媒体の一例である用紙９に形成する装置である。この画像形成装置１は、例えば、情報端末機、画像読取装置等の外部機器から取得される画像情報に対応した画像の形成を行うプリンタとして構成されている。
【００１９】
この画像形成装置１は、図１や図２に示されるように、装置本体の一例である筐体１０の内部空間に、画像情報に基づくトナーからなる未定着像としてのトナー像を形成する像形成手段２と、像形成手段２で形成されるトナー像を一時的に保持して搬送した後に用紙９に二次転写させる中間転写手段３と、中間転写手段３の二次転写する位置に供給すべき用紙９を収容するとともに送り出す給紙手段４と、中間転写手段３で二次転写されたトナー像を用紙９に定着させる定着手段５等を備えている。
【００２０】
筐体１０は、各種の支持部材、外装材等の材料で所要の構造および形状に形成された構造物である。筐体１０は、その上面部の一部に、画像が形成された後に排出される用紙９を積み重ねた状態で収容する排出収容部１２が形成されている。また、筐体１０は、その正面側になる側面部の一部に、像形成手段２、中間転写手段３等に関する点検作業や交換作業を行う際に筐体１０内の一部を正面側に開放させるよう下端部を支点にして開閉する開閉扉１３が設けられている。図２における一点鎖線は、筐体１０内で用紙９が搬送されるときの主な搬送経路を示している。
【００２１】
像形成手段２は、例えばイエロー（Ｙ）、マゼンタ（Ｍ）、シアン（Ｃ）及びブラック（Ｋ）という４色のトナー像をそれぞれ専用に形成する４つの作像装置２Ｙ，２Ｍ，２Ｃ，２Ｋにて構成されている。実施の形態１における４つの作像装置２（Ｙ，Ｍ，Ｃ，Ｋ）は、図２に示す筐体１０の内部において左肩上がりに斜いた状態で並ぶよう配置されている。
【００２２】
４つの作像装置２（Ｙ，Ｍ，Ｃ，Ｋ）はいずれも、図１や図２に示されるように、矢印Ａで示す方向に回転する像保持手段の一例である感光ドラム２１を有している。また作像装置２（Ｙ，Ｍ，Ｃ，Ｋ）はいずれも、その感光ドラム２１の周囲に、感光ドラム２１の像保持領域を帯電する帯電装置２２と、感光ドラム２１の帯電された像保持領域に画像情報に応じた露光を行って上記４色の成分に応じた静電潜像をそれぞれ形成する露光手段の一例である露光装置２３と、感光ドラム２１の像形成面に形成された静電潜像を対応する色のトナーでそれぞれ現像する現像装置２４と、感光ドラム２１の像形成面を清掃する第１清掃装置２６等の機器を配置している。
現像装置２４については、現像に使用するトナーとして上記４色（Ｙ，Ｍ，Ｃ，Ｋ）のいずれか１つの色のトナーが分担されて収容されている点で異なるので、以下ではその異なる色の４色に対応させて現像装置２４Ｙ，２４Ｍ，２４Ｃ，２４Ｋと表示する。また、図２では便宜上、符号２１から２４、２６をブラック（Ｋ）の作像装置２Ｋには全て記載しているが、他の色の作像装置２Ｙ，２Ｍ，２Ｃにはその一部のみを記載している。
【００２３】
中間転写手段３は、筐体１０の内部において像形成手段２としての作像装置２（Ｙ，Ｍ，Ｃ，Ｋ）の上方側に配置されている。
中間転写手段３は、作像装置２（Ｙ，Ｍ，Ｃ，Ｋ）でそれぞれ形成されるトナー像を一次転写で受けて保持した後に用紙９に二次転写する位置まで搬送するよう回転する中間転写ベルト３１と、作像装置２（Ｙ，Ｍ，Ｃ，Ｋ）の各感光ドラム２１に形成された各トナー像を中間転写ベルト３１の外周面の像保持領域にそれぞれ一次転写させる一次転写装置３３と、中間転写ベルト３１上のトナー像を用紙９に二次転写させる二次転写装置３５と、中間転写ベルト３１の外周面を清掃する第２清掃装置３６等の機器を配置して構成されている。中間転写ベルト３１は、複数の支持ロール３２ａ〜３２ｅに架け回された状態で、作像装置２（Ｙ，Ｍ，Ｃ，Ｋ）の各感光ドラム２１と二次転写装置３５等を順次通過しながら矢印Ｂで示す方向に回転するようになっている。
【００２４】
給紙手段４は、用紙９を可動式の積載板４２上に積み重ねて収容する用紙収容体４１、用紙９を用紙収容体４１から１枚ずつ送り出す送出装置４３等の機器を配置して構成されている。給紙手段４から送り出された用紙９は、用紙搬送ロール４４、搬送ガイド等で構成される給紙搬送路を経由して、中間転写手段３における中間転写ベルト３１と二次転写装置３５との間になる二次転写位置まで搬送される。
定着手段５は、中間転写手段３の二次転写位置の上方側に配置されている。定着手段５は、筐体５０の内部空間に、加熱用回転体５１、加圧用回転体５２等の機器を配置して構成されている。定着手段５から定着後に送り出される用紙９は、用紙搬送ロール４８、搬送ガイド等で構成される排出経路を経由して、排出収容部１２まで搬送される。
【００２５】
＜着脱ユニット＞
また、画像形成装置１では、図１、図３、図４等に示されるように、４つの作像装置２（Ｙ，Ｍ，Ｃ，Ｋ）における感光ドラム２１、帯電装置２２、現像装置２４（Ｙ，Ｍ，Ｃ，Ｋ）および第１清掃装置２６が支持フレーム２０１に取り付けられて一体の構造物にされたうえで、筐体１０に形成される装着部に対して感光ドラム２１の軸方向Ｄに沿う方向に移動させることで着脱可能に装着される着脱ユニット２０（Ｙ，Ｍ，Ｃ，Ｋ）として構成されている。
【００２６】
この着脱ユニット２０（Ｙ，Ｍ，Ｃ，Ｋ）は、装着する際には装着部に対して矢印Ｅ１で示す方向に押し込むように移動させられ、反対に取り外す際には装着部から引き抜くように矢印Ｅ２で示す方向に移動させる。図１、図４、図５等において右側（矢印Ｚの向く先）は画像形成装置１の奥側（リア側）に相当するものとし、またその左側（矢印Ｚの向く先とは反対側）は画像形成装置１の手前側（フロント側）に相当するものとする。
【００２７】
着脱ユニット２０（Ｙ，Ｍ，Ｃ，Ｋ）における感光ドラム２１は、図４等に示されるように、円筒状の基体の外周面に少なくとも感光層が形成された感光部の両端に左右のフランジ部２１ｂ，２１ｃが設けられており、そのフランジ部２１ｂ，２１ｃの一部が支持フレーム２０１における左右の側端部２０１ｂ，２０１ｃに対して回転可能に支持されている。
【００２８】
また、感光ドラム２１は、奥側になる右のフランジ部２１ｃの外側に、筐体１０側にある図示しない回転駆動装置から出力される回転動力を受ける連結部材（カップリングの一方）２１５が設けられている。この連結部材２１５は、着脱ユニット２０が装着されたときに、軸部を兼ねる円筒状の外装カバーの内部において、筐体１０側にある回転駆動装置の出力軸に取り付けた図示しない連結部材（カップリングの他方）と着脱可能に連結して回転動力の伝達を受ける。
【００２９】
着脱ユニット２０（Ｙ，Ｍ，Ｃ，Ｋ）における帯電装置２２は、図３、図４等に示されるように、感光ドラム２１の像保持面に接触して追従するよう回転するとともに帯電用電圧が供給される帯電ロール２２１を用いる接触帯電方式の帯電装置である。
【００３０】
帯電装置２２は、帯電ロール２２１の両端部が、支持フレーム２０１における左右の側端部２０１ｂ，２０１ｃに対して回転可能に支持されている。帯電ロール２２１は、着脱ユニット２０が装着されると、筐体１０側にある図示しない給電装置の接続部と接続して帯電用電圧の供給が可能な状態になる。
また、帯電装置２２は、帯電ロール２２１の外周面に接触して清掃する清掃ロール２２３を備えている。この清掃ロール２２３については省略しても構わない。
【００３１】
着脱ユニット２０（Ｙ，Ｍ，Ｃ，Ｋ）における現像装置２４（Ｙ，Ｍ，Ｃ，Ｋ）は、図３、図４等に示されるように、感光ドラム２１の軸方向Ｄに沿って延びる細長い容器状の筐体２４０の内部に、現像剤を保持して感光ドラム２１と対向する現像領域を通過させるように搬送する現像ロール２４１、筐体２４０内に収容する現像剤を撹拌しながら現像ロール２４１を通過させるよう循環搬送する攪拌搬送部材２４２、現像ロール２４１上に保持される現像剤の層厚を規制する層厚規制部材２４３等を備えている。
【００３２】
現像ロール２４１は、搬送ロール２４１ａの両端部に、感光ドラム２１との間隔を保持するために接触するトラッキングロール２４４が設けられている。また、現像ロール２４１は、筐体２４０の奥側になる右の端部に、筐体１０側にある図示しない回転駆動装置から出力される回転動力を受ける連結部材２４５が支持フレーム２０１の右の側端部２０１ｃから外側に突出した状態で設けられている。
【００３３】
筐体２４０は、例えばトナーおよびキャリアを含む二成分現像剤が所要量収容されており、その上部において支持フレーム２０１の左右の側端部２０１ｂ，２０１ｃに軸を支点にした状態で現像ロール２４１が感光ドラム２１に対して接近および離間する方向に揺動し得るよう取り付けられている。
また、筐体２４０の奥側になる右の端部には、図４（Ｂ）等に示されるように、図示しないトナー補給部から供給されるトナーを受けて筐体２４０内に送る補給受け部２４８が支持フレーム２０１の右の側端部２０１ｃから外側に突出した状態で設けられている。補給受け部２４８の奥側になる端面部には、筐体１０側に設けられる図示しない位置決め孔に差し込む突起部２４８ａが設けられている。
【００３４】
着脱ユニット２０（Ｙ，Ｍ，Ｃ，Ｋ）における第１清掃装置２６は、図３、図４等に示されるように、感光ドラム２１の軸方向Ｄに沿って延びる細長い容器状の筐体２６０の内部に、感光ドラム２１の感光部２１ａに軸方向Ｄに沿って接触するよう配置される板状の清掃部材２６１と、清掃部材２６１で感光ドラム２１上から除去するトナー等の不要物を回収して図示しない回収容器にむけて搬送するよう回転可能に取り付けられるスクリュー状の搬送部材２６２とを備えている。筐体２６０は、着脱ユニット２０における支持フレーム２０１の一部を兼用するよう構成されている。
【００３５】
搬送部材２６２の右側の端部には、筐体１０側にある図示しない回転駆動装置から回転動力を受けるギヤ２６５が、筐体２６０の右側端部から外側に突出した位置で一部露出した状態で設けられている。また、搬送部材２６２の手前側になる左側の端部には、回収したトナー等の不要物を図示しない回収容器に送り出すための筒状の排出管２６６が、筐体２６０の左側端部および支持フレーム２０１の左の側端部２０１ｂから外側に突出した状態で設けられている。
【００３６】
また、着脱ユニット２０（Ｙ，Ｍ，Ｃ，Ｋ）は、図４（Ｂ）等に示されるように、感光ドラム２１の下方側でかつ帯電装置２２と現像装置２４との間に挟まれる位置に、その装着の際に露光装置２３を奥側から侵入させて存在させる配置用空間２０２が設けられている。
さらに、着脱ユニット２０（Ｙ，Ｍ，Ｃ，Ｋ）は、図４（Ｂ）等に示されるように、支持フレーム２０１における右の側端部２０１ｃの下方側の部位に、後述する装着台フレーム１４における奥側の側板部（１６）にある位置決め孔（１６ｂ）に挿入して取付け位置を固定する奥側突起２０４が設けられている。
【００３７】
そして、着脱ユニット２０（Ｙ，Ｍ，Ｃ，Ｋ）は、図５、図６等に示されるように、複数の仕切り版１５にて４つの装着領域に区分けされた装着台フレーム１４の各装着領域に対応する装着部（空間内）に、それぞれ装着されるようになっている。装着台フレーム１４は、筐体１０の一部を構成するものである。
【００３８】
装着台フレーム１４は、図５等に示されるように、各装着領域の画像形成装置１の奥側になる端部に、着脱ユニット２０（Ｙ，Ｍ，Ｃ，Ｋ）の奥側になる各一端部を保持するための側板部１６を設けている。
側板部１６には、着脱ユニット２０（Ｙ，Ｍ，Ｃ，Ｋ）における感光ドラム２１の連結部材２１５における軸部を兼ねる外装カバーを嵌め入れて保持する保持孔１６ａと、支持フレーム２０１における右の側端部２０１ｃにある奥側突起２０４を嵌め入れて位置決めする位置決め孔１６ｂとが設けられている。
【００３９】
一方、作像装置２（Ｙ，Ｍ，Ｃ，Ｋ）を構成する残りの露光装置２３は、筐体１０側に配置されている。
露光装置２３は、発光源としてＬＥＤ（Light Emitting Diode）を用いたＬＥＤプリントヘッド（ＬＰＨ：LED Print Head）を採用している。
【００４０】
このＬＥＤプリントヘッドからなる露光装置２３は、図３、図６等に示されるように、複数のＬＥＤを感光ドラム２１の軸方向Ｄに沿う方向に所定のパターンで並べて配置した発光チップとその発光チップを駆動する回路や配線等が設けられた発光部基板２３１と、発光部基板２３１から出射される光を感光ドラム２１の外周面に結像させるレンズアレイ２３２と、発光部基板２３１とレンズアレイ２３２を保持して一体化するハウジング２３４とからなるヘッドユニットで構成されている。
レンズアレイ２３２は、その上端部に光が最終的に出射される発光面２３２ａを有している。発光面２３２ａは、感光ドラム２１の軸方向Ｄに沿う方向にほぼ直線状に延びる細長い面として形成されている（図９）。
【００４１】
また、露光装置２３は、図３、図６等に示されるように、上記発光部基板２３１、レンズアレイ２３２およびハウジング２３４からなるヘッドユニットを保持する保持フレーム２３３を備えている。
保持フレーム２３３は、図６等に示されるように、上記装着台フレーム１４の区画された各装着領域における所定の配置位置に固定されるように取り付けられる。保持フレーム２３３は、図３に示されるように、発光面２３２ａが着脱ユニット２０における感光ドラム２１と所要の間隔αに保たれるようにレンズアレイ２３２等のヘッドユニット全体を保持している。
【００４２】
＜移動手段と清掃手段＞
また、画像形成装置１は、図６、図７等に示されるように、筐体１０の装着台フレーム１４において着脱ユニット２０（Ｙ，Ｍ，Ｃ，Ｋ）の装着するときの各先端側の部分をそれぞれ収容した状態で着脱ユニット２０（Ｙ，Ｍ，Ｃ，Ｋ）の着脱するときの各移動に伴ってそれぞれ移動するよう配置される移動手段の一例である移動部材６（Ｙ，Ｍ，Ｃ，Ｋ）を備えている。
しかも、移動部材６（Ｙ，Ｍ，Ｃ，Ｋ）は、図８等に示されるように、露光装置２３におけるレンズアレイ２３２の発光面２３２ａに接触して発光面２３２ａを清掃する清掃手段の一例である清掃部材７を有している。
【００４３】
移動部材６（Ｙ，Ｍ，Ｃ，Ｋ）はいずれも、図８等に示されるように、装着台フレーム１４上を滑るように移動する滑動面６１ａを有する形状からなる滑動部６１と、滑動部６１から連続して露光装置２３の上方を乗り越えて露光装置２３の上部を覆う形状からなる覆い部６２と、滑動部６１の内側に着脱ユニット２０（Ｙ，Ｍ，Ｃ，Ｋ）の各先端側の部分の一例としての補給受け部２４８を嵌め入れて収容する形状からなる収容部６３と、覆い部６２の一部を兼ねる形状からなるとともに清掃部材７が取り付けられる清掃部６４とを有する構造物として構成されている。
【００４４】
滑動部６１は、収容部６３を兼ねることから３方が囲まれた平面矩形からなる容器状の部位である。また、滑動部６１は、画像形成装置１の手前側から見たとき、露光装置２３の左横となる位置であって着脱ユニット２０における現像装置２４の下端と向き合う位置に配置されている。また、滑動部６１は、装着台フレーム１４と対向する底面の裏面がほぼ平面からなる滑動面６１ａとして構成されている。
【００４５】
覆い部６２は、露光装置２３における発光部基板２３１を含むレンズアレイ２３２と保持フレーム２３３の上部を覆うことが可能な形状からなる部位である。
実施の形態１における覆い部６２は、断面形状が上に突出してほぼ湾曲した形状からなる天井部６２ａと、天井部６２ａの長手方向における左右の端部から垂下して延びる左右の側壁部６２ｂ、６２ｃと、左側の側壁部６２ｂの下端と収容部６３を兼ねた滑動部６１とを接続する接続部６２ｄと、右側の側壁部６２ｃの下端から左側の外側へ延びる曲げ部６２ｅとを有している。左右の側壁部６２ｂ、６２ｃは、露光装置２３における保持フレーム２３３の上部を左右から挟むように接近して対向する部分となる。
【００４６】
収容部６３は、着脱ユニット２０（Ｙ，Ｍ，Ｃ，Ｋ）における現像装置２４（Ｙ，Ｍ，Ｃ，Ｋ）の補給受け部２４８の少なくとも下部を収容することが可能な空間を有する部位である（図１２）。
実施の形態１における収容部６３は、滑動部６１の内側に存在する窪み空間として形成されている。また、収容部６３は、図８や図１２等に示されるように、開口した側面部と対向する奥側の側面部に、上記補給受け部２４８における突起部２４８ａを回避して非接触の状態で存在させる切り欠き部６３ｅを設けている。さらに、収容部６３に収容される補給受け部２４８の下面には、図１１に示されるように、その収容の際に収容部６３の底面に接触（着地）して収容完了の状態になる接地部２４９が下方に突出した状態で設けられている。
【００４７】
清掃部６４は、覆い部６２における天井部６２ａの奥側の端部側に配置される部位である。実施の形態１における清掃部６４は、図８等に示されるように、天井部６２ａの一部と左右の側壁部６２ｂ、６２ｃの一部とを天井部６２ａから上方に突出させた上端において平板状の天板で結合して３方を囲んだ形状からなる部位である。
【００４８】
清掃部材７は、移動部材６（Ｙ，Ｍ，Ｃ，Ｋ）における各清掃部６４のうち露光装置２３におけるレンズアレイ２３２の発光面２３２ａと対向する部位（天板の下面）に設けられている。
また、清掃部材７は、着脱ユニット２０（Ｙ，Ｍ，Ｃ，Ｋ）を着脱するときの移動操作に連動して移動部材６（Ｙ，Ｍ，Ｃ，Ｋ）が移動するとき、その清掃部材７の少なくとも下端部が発光面２３２ａに接触し得る状態に設けられる。このときの清掃部材７は、その下端部が発光面２３２ａにわずかに食い込んだ状態で接触し得るように設けられている（図１０）。
さらに、清掃部材７は、発光面２３２ａに擦り傷を付けないような材質からなるゴムや、フェルト等の材料にて構成される。
【００４９】
一方、装着台フレーム１４は、図５、図６等に示されるように、上記４つの装着領域において各露光装置２３の現像装置２４が存在することになる領域部分が、移動部材６（Ｙ，Ｍ，Ｃ，Ｋ）の滑動部６１をそれぞれ滑らせるよう移動させる移動領域として構成されている。
【００５０】
また、装着台フレーム１４の上記移動領域には、図６、図７等に示されるように、移動部材６（Ｙ，Ｍ，Ｃ，Ｋ）を各露光装置２３の発光面２３２ａに沿って往復移動させるとともに各清掃部材７を各発光面２３２ａに対して接触し得る距離を保って移動させるように案内する案内部の一例である案内溝１７がそれぞれ設けられている。
実施の形態１における案内溝１７は、図６、図９（Ｂ）等に示されるように、各露光装置２３の発光面２３２ａの長手方向（感光ドラム２１の軸方向Ｄに沿う方向）に沿ってほぼ平行に延びる直線状の切り欠き溝として形成されている。
【００５１】
これに対して、移動部材６（Ｙ，Ｍ，Ｃ，Ｋ）は、図８から図１０等に示されるように、滑動部６１の装着台フレーム１４と対向する底面の裏面である各滑動面６１ａに、装着台フレーム１４における上記案内溝１７に案内される被案内部の一例である被案内突出片６６がそれぞれ設けられている。
実施の形態１における被案内突出片６６は、図８（Ｃ）や図１０に示されるように、滑動面６１ａの下方に突出した後に滑動面６１ａにほぼ平行した状態で曲げられた形状で、断面がＬ字の形状からなる曲げ突出片として形成されている。また、被案内突出片６６は、覆い部６２が存在する側とは反対の側に曲げられている。
移動部材６（Ｙ，Ｍ，Ｃ，Ｋ）の装着台フレーム１４における移動範囲は、案内溝１７の長手方向の両端部の位置で規制されように構成されている。
【００５２】
さらに、移動部材６（Ｙ，Ｍ，Ｃ，Ｋ）は、図５、図６、図９等に示されるように、装着台フレーム１４のうち着脱ユニット２０（Ｙ，Ｍ，Ｃ，Ｋ）が装着されるときの入口部分（手前側の端部領域）に、その着脱ユニット２０（Ｙ，Ｍ，Ｃ，Ｋ）の装着前および取外し後に存在しているように配置されている。
【００５３】
この移動部材６（Ｙ，Ｍ，Ｃ，Ｋ）の配置に関連して、装着台フレーム１４には、図７、図９等に示されるように、移動部材６（Ｙ，Ｍ，Ｃ，Ｋ）を装着台フレーム１４における上記入口部分に停止させた状態で固定する固定突起１８が設けられている。
実施の形態１における固定突起１８は、図７、図１３等に示されるように、装着台フレーム１４において移動部材６（Ｙ，Ｍ，Ｃ，Ｋ）の接続部６２ｄに向けて上方に延びるよう設けられる板状の支持部１８ａと、その支持部１８ａの上部において収容部６３に侵入するように突出する突出固定部１８ｂとを有する突起である。
このうち支持部１８ａは、図１３（Ｂ）に示されるように、外力を受けると突出固定部１８ｂの突出する方向と反対側に反るように弾性変形し得るよう構成されている。また、突出固定部１８ｂは、図１３（Ａ）に示されるように、その突出する上部角部に支持部１８ａから突出する方向に迫り出すように傾斜する傾斜面１８ｃが形成されている。
【００５４】
また上記固定突起１８を設けることに対応して、移動部材６（Ｙ，Ｍ，Ｃ，Ｋ）には、図８、図９（Ａ）等に示されるように、上記固定突起１８が嵌め込まれて位置が固定される被固定部の一例である被固定孔６７が設けられている。
実施の形態１における被固定孔６７は、収容部６３の覆い部６２寄りの側壁面の上部から接続部６２ｄの一部に曲がって食い込むように延びる開口形状からなる孔である。また、被固定孔６７は、固定突起１８における突出固定部１８ｂが入り込んだ状態で存在し得る形状であり、その手前側の孔側辺部および奥側の孔側辺部が入り込んだ突出固定部１８ｂに接触し得ることで移動部材６（Ｙ，Ｍ，Ｃ，Ｋ）の移動が阻止される構成になっている。さらに、被固定孔６７は、図８（Ｂ）、図９（Ａ）等に示されるように、接続部６２ｄに形成された部分において三方を取り囲むように接続部６２ｄの上方に突出するような形状の導入部６７ｃが形成されている。
【００５５】
さらに上記被固定孔６７を設けることに対応して、着脱ユニット２０（Ｙ，Ｍ，Ｃ，Ｋ）における現像装置２４（Ｙ，Ｍ，Ｃ，Ｋ）の補給受け部２４８には、図１１、図１２等に示されるように、上記被固定孔６７に嵌め合わされるとともに被固定孔６７に嵌め込まれた上記固定突起１８を被固定孔６７から押し出すよう弾性変形させる嵌合突起２９が設けられている。
実施の形態１における嵌合突起２９は、補給受け部２４８の被固定孔６７と向き合う側の側面部に突出した状態で設けられている。また、嵌合突起２９は、補給受け部２４８が収容部６３に収容されるときに、被固定孔６７に嵌め入れることができる形状で形成されている。さらに、嵌合突起２９は、その下方角部に、固定突起１８の突出固定部１８ｂにおける上記傾斜面１８ｃとほぼ同じ状態で傾く傾斜面２９ｃが形成されている。
【００５６】
この画像形成装置１は、上述したように装着台フレーム１４の各装着部が着脱ユニット２０（Ｙ，Ｍ，Ｃ，Ｋ）をその４色の色別に区分して専用に装着するように構成されている（図５）。
このため、移動部材６（Ｙ，Ｍ，Ｃ，Ｋ）には、図８、図１４等に示されるように、４つの着脱ユニット２０（Ｙ，Ｍ，Ｃ，Ｋ）を感光ドラム２１に保持させるトナー像の色別に嵌め入れ可能にする互いに異なる位置からなる識別部８１（Ｙ，Ｍ，Ｃ，Ｋ）がそれぞれ設けられている。
またこれに対応して、着脱ユニット２０（Ｙ，Ｍ，Ｃ，Ｋ）には、図１１、図１４等に示されるように、移動部材６（Ｙ，Ｍ，Ｃ，Ｋ）における複数の識別部８１（Ｙ，Ｍ，Ｃ，Ｋ）のいずれか１つと一致して嵌め入れが許容される位置に存在する被識別部８２（Ｙ，Ｍ，Ｃ，Ｋ）がそれぞれ設けられている。
【００５７】
実施の形態１における識別部８１（Ｙ，Ｍ，Ｃ，Ｋ）は、図８等に示されるように、収容部６３の底面から突出する同じ形状からなる凸部状の識別部である。また、識別部８１（Ｙ，Ｍ，Ｃ，Ｋ）は、図１４等に示されるように、収容部６３の底面において着脱ユニット２０（Ｙ，Ｍ，Ｃ，Ｋ）の装着および取外し時の移動方向Ｅ１，Ｅ２とほぼ直交する方向にずれて互いに異なる位置に存在するよう設けられている。
【００５８】
また実施の形態１における被識別部８２（Ｙ，Ｍ，Ｃ，Ｋ）は、図１１等に示されるように、補給受け部２４８の下面の接地部２４９に窪んだ同じ形状からなる凹部状の被識別部である。また、被識別部８２（Ｙ，Ｍ，Ｃ，Ｋ）は、図１４等に示されるように、接地部２４９において識別部８１（Ｙ，Ｍ，Ｃ，Ｋ）のいずれかの嵌め入れを可能にすべく、着脱ユニット２０（Ｙ，Ｍ，Ｃ，Ｋ）の移動方向Ｅ１，Ｅ２とほぼ直交する方向にずれて互いに異なる位置に存在するようそれぞれ設けられている。
この凹部状の被識別部８２（Ｙ，Ｍ，Ｃ，Ｋ）は、適合する凸部状の識別部８１（Ｙ，Ｍ，Ｃ，Ｋ）に対してはその侵入を許容して収容するが、適合しない識別部８１（Ｙ，Ｍ，Ｃ，Ｋ）に対してはその侵入を許可せず収容しない関係になっている。
また、この凹部状の被識別部８２（Ｙ，Ｍ，Ｃ，Ｋ）は、接地部２４９の内部に形成する１つ又は２つで構成される調整枠部２４９ａ〜２４９ｆにて仕切られて形成されている。このときの調整枠部２４９ａ〜２４９ｆはいずれも、接地部２４９と同じ高さで形成されている。
【００５９】
そして、画像形成装置１では、着脱ユニット２０（Ｙ，Ｍ，Ｃ，Ｋ）の着脱を行う際、その着脱作業に先だって図示しない移動機構を操作することにより、中間転写手段３が正規の位置から上方の退避位置に移動させられる構成になっている。なお、この着脱作業を行うときに開閉扉１３を開けた状態にすることは言うまでもない。
これにより、画像形成装置１では、中間転写手段３の中間転写ベルト３１が各着脱ユニット２０（Ｙ，Ｍ，Ｃ，Ｋ）における感光ドラム２１からすべて離間した非接触の状態に保たれ、その着脱ユニット２０（Ｙ，Ｍ，Ｃ，Ｋ）の着脱作業を行うことを可能な状態にしている。
【００６０】
＜着脱ユニットの装着＞  
画像形成装置１における着脱ユニット２０（Ｙ，Ｍ，Ｃ，Ｋ）の装着は、以下のようにして行われる。
【００６１】
着脱ユニット２０（Ｙ，Ｍ，Ｃ，Ｋ）の装着は、未使用で新品の着脱ユニット２０を初めて使用するとき、感光ドラム２１等の不具合により新品の着脱ユニット２０に交換するとき、点検や修理の作業時に必要に応じて一時的に取り外した着脱ユニット２０を再び装着するとき等の時期に行われる。
【００６２】
着脱ユニット２０（Ｙ，Ｍ，Ｃ，Ｋ）は、その装着に際しては、図１に示されるように、画像形成装置１の筐体１０における装着部を構成する装着台フレーム１４の装着時の入口部分に近づけた後、図１２に示されるように、着脱ユニット２０（Ｙ，Ｍ，Ｃ，Ｋ）の先端側の端部である補給受け部２４８を、その入口部分に待機するよう存在している所定の色の移動部材６（Ｙ，Ｍ，Ｃ，Ｋ）における収容部６３に収容する。
【００６３】
この際、移動部材６（Ｙ，Ｍ，Ｃ，Ｋ）は、図１３（Ａ）に示されるように、その収容部６３および接続部６２ｄに連続して開口する被固定孔６７に、装着台フレーム１４にある固定突起１８が嵌め入れられていることにより、例えば着脱ユニット２０（Ｙ，Ｍ，Ｃ，Ｋ）の装着時および取外し時における移動方向Ｅ１，Ｅ２のいずれの方向にも移動することができず、入口部分で停止させられた状態におかれている。
このため、着脱ユニット２０（Ｙ，Ｍ，Ｃ，Ｋ）の補給受け部２４８を移動部材６（Ｙ，Ｍ，Ｃ，Ｋ）における収容部６３に収容する作業が安定して行うことが可能である。
【００６４】
またこの際、着脱ユニット２０（Ｙ，Ｍ，Ｃ，Ｋ）の補給受け部２４８が対応する適切な移動部材６（Ｙ，Ｍ，Ｃ，Ｋ）における収容部６３に正常に収容される場合は、図１３（Ｂ）に示されるように、補給受け部２４８にある嵌合突起２９が収容の際に下降して固定突起１８に接触して、その固定突起１８を被固定孔６７から押し出すように弾性変形させる。
これにより、着脱ユニット２０（Ｙ，Ｍ，Ｃ，Ｋ）の補給受け部２４８が正常に収容された移動部材６（Ｙ，Ｍ，Ｃ，Ｋ）は、固定突起１８による係止状態が解除され、上記移動方向Ｅ１，Ｅ２に対して移動可能な状態になる。この移動部材６（Ｙ，Ｍ，Ｃ，Ｋ）の固定突起１８による係止状態の解除が着脱ユニット２０（Ｙ，Ｍ，Ｃ，Ｋ）の補給受け部２４８の収容部６３への収容動作に連動して行われるので、その解除の操作を別途行う構成の場合に比べて、取り扱いやすい。
【００６５】
そして、着脱ユニット２０（Ｙ，Ｍ，Ｃ，Ｋ）の補給受け部２４８が移動部材６（Ｙ，Ｍ，Ｃ，Ｋ）における収容部６３に正常に収容されると、その着脱ユニット２０（Ｙ，Ｍ，Ｃ，Ｋ）を装着時の移動方向Ｅ１に向けて押し込むことができる。
【００６６】
この際、移動部材６（Ｙ，Ｍ，Ｃ，Ｋ）は、着脱ユニット２０（Ｙ，Ｍ，Ｃ，Ｋ）の移動方向Ｅ１への移動に合わせて一体になって移動するとともに、図１０や図１３（Ｂ）に示されるように、その清掃部６４に設けた清掃部材７が露光装置２３におけるレンズアレイ２３２の発光面２３２ａに接触して移動する。
【００６７】
また、このとき移動部材６（Ｙ，Ｍ，Ｃ，Ｋ）は、その滑動部６１が収容部６３に収容された着脱ユニット２０（Ｙ，Ｍ，Ｃ，Ｋ）の先端側部分の荷重を受けつつ装着台フレーム１４の上面に安定して接触しながら滑るような状態で移動する。また、このときの移動部材６（Ｙ，Ｍ，Ｃ，Ｋ）は、図９（Ｂ）や図１０に示されるように、滑動部６１の底面（の下面）に設けた被案内突出片６６が装着台フレーム１４における直線状の案内溝１７に案内されて安定して移動する。
特に被案内突出片６６は、その下部にある曲げ部が装着台フレーム１４の下面１４ｂに接触するようになっているので、例えば着脱ユニット２０（Ｙ，Ｍ，Ｃ，Ｋ）の押し込み状体の変動等の要因に影響を受けて滑動部６１が装着台フレーム１４の上面から浮き上がるような挙動を示するようなことがあっても、被案内突出片６６がない場合に比べると、その挙動の発生が抑制又は防止される。
【００６８】
したがって、この画像形成装置１においては、着脱ユニット２０（Ｙ，Ｍ，Ｃ，Ｋ）を装着する際、移動部材６（Ｙ，Ｍ，Ｃ，Ｋ）ひいては清掃部材７が露光装置２３の発光面２３２ａに対する距離を保って移動するようになり、その装着時の移動における不安定な動きに左右されることがなく清掃部材７が露光装置２３の発光面２３２ａに安定して接触し、この結果、発光面２３２ａが安定して良好に清掃される。
このように画像形成装置１では、着脱ユニット２０（Ｙ，Ｍ，Ｃ，Ｋ）の装着の際に、その装着作業に合わせて露光装置２３の発光面２３２ａの清掃が容易に行われ、発光面２３２ａのメンテナンス作業が無意識のうちに実行される。
【００６９】
また、着脱ユニット２０（Ｙ，Ｍ，Ｃ，Ｋ）は、その先端側の部分である補給受け部２４８が移動部材６（Ｙ，Ｍ，Ｃ，Ｋ）の収容部６３に収容された状態で移動部材６（Ｙ，Ｍ，Ｃ，Ｋ）に案内されるように移動させることができ、その移動が安定して行われる。
また、着脱ユニット２０（Ｙ，Ｍ，Ｃ，Ｋ）は、嵌合突起２９が移動部材６（Ｙ，Ｍ，Ｃ，Ｋ）における被固定孔６７に嵌め入れた状態にするので、着脱ユニット２０（Ｙ，Ｍ，Ｃ，Ｋ）の補給受け部２４８を収容部６３に確実に収容して一体化させた後に移動部材６（Ｙ，Ｍ，Ｃ，Ｋ）を確実に移動させることができ、これにより、移動部材６（Ｙ，Ｍ，Ｃ，Ｋ）における清掃部材７による発光面２３２ａの清掃が確実に行われる。
【００７０】
ちなみに、移動部材６（Ｙ，Ｍ，Ｃ，Ｋ）は、着脱ユニット２０（Ｙ，Ｍ，Ｃ，Ｋ）の装着が完了した段階になると、図７に一部例示するように、装着台フレーム１４の奥側の位置に停止して、着脱ユニット２０（Ｙ，Ｍ，Ｃ，Ｋ）と共に装着台フレーム１４の奥側の位置に止まることになる。
この際、装着が完了した着脱ユニット２０（Ｙ，Ｍ，Ｃ，Ｋ）における嵌合突起２９は、移動部材６（Ｙ，Ｍ，Ｃ，Ｋ）における被固定孔６７に嵌め入れた状態で維持されるので、移動部材６（Ｙ，Ｍ，Ｃ，Ｋ）は、着脱ユニット２０（Ｙ，Ｍ，Ｃ，Ｋ）と一体化された状態に保たれる。またこの際、清掃部材７は、発光面２３２ａの奥側の端部を通過して発光面２３２ａに接触していない状態に保たれるよう構成されている。
【００７１】
＜着脱ユニットの取り外し＞
次に、画像形成装置１における着脱ユニット２０（Ｙ，Ｍ，Ｃ，Ｋ）の取り外しは、以下のようにして行われる。
【００７２】
すなわち、取り外す対象の着脱ユニット２０（Ｙ，Ｍ，Ｃ，Ｋ）を装着部から、感光ドラム２１の軸方向Ｄに沿う矢印Ｅ２で示す方向に移動させるようにして引き出す。
【００７３】
この際、移動部材６（Ｙ，Ｍ，Ｃ，Ｋ）は、着脱ユニット２０（Ｙ，Ｍ，Ｃ，Ｋ）の移動方向Ｅ２への移動に合わせて一体になって移動するとともに、図１０や図１３（Ｂ）に示されるように、その清掃部６４に設けた清掃部材７が露光装置２３におけるレンズアレイ２３２の発光面２３２ａに接触して移動する。
また、このとき移動部材６（Ｙ，Ｍ，Ｃ，Ｋ）は、上述した着脱ユニット２０（Ｙ，Ｍ，Ｃ，Ｋ）の装着時における移動のときと同様に安定して移動する。
【００７４】
さらに、このとき移動部材６（Ｙ，Ｍ，Ｃ，Ｋ）の移動方向Ｅ２への移動は、被案内突出片６６が案内溝１７の手前側の端部の位置で規制されることにより停止させられる。
この移動部材６（Ｙ，Ｍ，Ｃ，Ｋ）の停止位置では、その被固定孔６７が固定突起１８と向き合う状態になる。また、この停止位置では、着脱ユニット２０（Ｙ，Ｍ，Ｃ，Ｋ）における嵌合突起２９が固定突起１８と再度接触して、その固定突起１８を弾性変形させて被固定孔６７から押し出す状態になる。
【００７５】
したがって、この画像形成装置１においては、着脱ユニット２０（Ｙ，Ｍ，Ｃ，Ｋ）を取り外す際にも、移動部材６（Ｙ，Ｍ，Ｃ，Ｋ）ひいては清掃部材７が露光装置２３の発光面２３２ａに対する距離を保って移動するようになり、その取り外し時の移動における不安定な動きに左右されることがなく清掃部材７が露光装置２３の発光面２３２ａに安定して接触し、この結果、発光面２３２ａが安定して良好に清掃される。
このように画像形成装置１では、着脱ユニット２０（Ｙ，Ｍ，Ｃ，Ｋ）を取り外す際にも、その取り外し作業に合わせて露光装置２３の発光面２３２ａの清掃が容易に行われ、発光面２３２ａのメンテナンス作業が無意識のうちに実行される。
【００７６】
また、この画像形成装置１においては、取り外す着脱ユニット２０（Ｙ，Ｍ，Ｃ，Ｋ）の補給受け部２４８を持ち上げて移動部材６（Ｙ，Ｍ，Ｃ，Ｋ）の収容部６３から取り出すと、図１３（Ａ）に示されるように、着脱ユニット２０（Ｙ，Ｍ，Ｃ，Ｋ）における嵌合突起２９が上昇して移動部材６（Ｙ，Ｍ，Ｃ，Ｋ）における被固定孔６７から抜け出るため、嵌合突起２９が固定突起１８を被固定孔６７から押し出すように弾性変形させる状態が解除されて、固定突起１８が復元して被固定孔６７に嵌め込まれた状態になる。
【００７７】
これにより、移動部材６（Ｙ，Ｍ，Ｃ，Ｋ）は、着脱ユニット２０（Ｙ，Ｍ，Ｃ，Ｋ）の移動方向Ｅ１，Ｅ２のいずれの方向にも移動することができず、装着台フレーム１４における入口部分で停止させられた状態になる。つまり、この画像形成装置１では、移動部材６（Ｙ，Ｍ，Ｃ，Ｋ）がこの入口部分に停止した状態になることが、着脱ユニット２０（Ｙ，Ｍ，Ｃ，Ｋ）の取り外し作業に連動して行われる。
またこのことにより、その入口部分で停止した移動部材６（Ｙ，Ｍ，Ｃ，Ｋ）に対応する着脱ユニット２０（Ｙ，Ｍ，Ｃ，Ｋ）が装着される際には、その着脱ユニット２０（Ｙ，Ｍ，Ｃ，Ｋ）における補給受け部２４８の収容部６３への収容作業が安定して行われる。
【００７８】
＜誤装着の防止＞
また、この画像形成装置１では、着脱ユニット２０（Ｙ，Ｍ，Ｃ，Ｋ）を対応する色の装着部ではなく間違った色（色違い）の装着部に装着しようとすると、次のような状態になる。
【００７９】
すなわち、その間違った着脱ユニット２０（Ｙ，Ｍ，Ｃ，Ｋ）の補給受け部２４８を対応しない不適切な移動部材６（Ｙ，Ｍ，Ｃ，Ｋ）の収容部６３に収容する際、その補給受け部２４８にある被識別部８２が収容部６３にある識別部８１と一致しないため、収容部６３に正常に収容することができない。
つまり、このときは、図１５に例示されるように、間違った着脱ユニット２０（Ｙ，Ｍ，Ｃ，Ｋ）の補給受け部２４８における接地部２４９の調整枠部２４９ａ〜２４９ｆのいずれかに対して収容部６３にある識別部８１が衝突した状態になって、識別部８１の被識別部８２への侵入が許可されない。
【００８０】
これにより、着脱ユニット２０（Ｙ，Ｍ，Ｃ，Ｋ）の先端側の部分である補給受け部２４８を移動部材６（Ｙ，Ｍ，Ｃ，Ｋ）における収容部６３に収容させる段階で着脱ユニット２０の誤装着を早期に使用者に認識させることができ、その誤装着が早期に防止される。
【００８１】
また、この画像形成装置１では、図１５に例示されるように、着脱ユニット２０（Ｙ，Ｍ，Ｃ，Ｋ）における被識別部８２が、移動部材６（Ｙ，Ｍ，Ｃ，Ｋ）における識別部８１に一致しないときに、その一致しない着脱ユニット２０における嵌合突起２９が、その着脱ユニット２０の補給受け部２４８を収容しようとする移動部材６における被固定孔６７に嵌め合わされた固定突起１８を弾性変形させることができない位置関係に保たれるよう構成されている。つまり、一致しない着脱ユニット２０における嵌合突起２９は、補給受け部２４８の収容部６３への収容が許容されないため、固定突起１８を弾性変形させることができない位置で停止した状態に保たれるようになっている。
【００８２】
これにより、着脱ユニット２０を適合しない移動部材６の収容部６３に収容しようとした場合には、その移動部材６が固定突起１８の係止により移動することもなく、その着脱ユニット２０の誤装着が確実に防止される。特にこの場合は、色違いの着脱ユニット２０が装着部の途中まで装着された状態になることも回避される。
【００８３】
［他の変形例］
この発明は、実施の形態１で例示した内容に何ら限定されるものではなく、各請求項に記載した各発明の要旨を逸脱しない範囲内で種々変更することが可能である。例えば、この発明は、以下に挙げるような変形例も含むものである。
【００８４】
実施の形態１では、着脱ユニット２０における嵌合突起２９を移動部材６における被固定孔６７に嵌め入れる構成例を示したが、着脱ユニット２０における嵌合突起２９は移動部材６における収容部６３の被固定孔６７の位置とは別の位置に設ける切り欠き等の被嵌合部に嵌合させるように構成してもよい。この構成の場合は、被固定孔６７に嵌め入れられる固定突起１８を押し出すよう弾性変形させるだけの機能を有する部位を、着脱ユニット２０における補給受け部２４８に設ければよい。
また、着脱ユニット２０の先端側になる部分である補給受け部２４８を移動部材６における収容部６３に収容したときに、互いに嵌合して一体させる嵌合部と被嵌合部を複数組設けるように構成しても構わない。
【００８５】
また、実施の形態１では、移動部材６における収容部６３に凸部状の識別部８１を設け、着脱ユニット２０の補給受け部２４８に凹部状の被識別部８２を設けた構成例を示したが、収容部６３に凹部状の識別部８１を設け、補給受け部２４８に凸部状の被識別部８２を設けるように構成してもよい。
また、実施の形態１では、例えば着脱ユニット２０（Ｙ，Ｍ，Ｃ，Ｋ）が現像装置２４（Ｙ，Ｍ，Ｃ，Ｋ）を含まない構成である場合であれば、識別部８１と被識別部８２を設ける構成を省略してもよい。
さらに、着脱ユニット２０（Ｙ，Ｍ，Ｃ，Ｋ）が現像装置２４（Ｙ，Ｍ，Ｃ，Ｋ）を含む場合でも、識別部８１と被識別部８２を設ける構成を省略してもよい。この場合は、例えば、移動部材６（Ｙ，Ｍ，Ｃ，Ｋ）をその４色に対応させた色にそれぞれ着色した構成を採用して、移動部材６（Ｙ，Ｍ，Ｃ，Ｋ）の外観色の違いで注意を喚起させて着脱ユニット２０（Ｙ，Ｍ，Ｃ，Ｋ）の誤装着を防止するように対応してもよい。
【００８６】
また、着脱ユニット２０と移動部材６を備える画像形成装置は、中間転写手段３を利用せずに、トナー像を用紙９に直接転写（一次転写）する方式を採用する画像形成装置であってもよい。この他にも、ブラック色（Ｋ）等の単色の画像を形成する画像形成装置であってもよい。露光装置２３は、発光面を有するものであれば、ＬＥＤプリントヘッドの方式以外の方式からなる露光装置であっても構わない。
【００８７】
着脱ユニット２０は、少なくとも感光ドラム２１を含み、装置本体の装着部への装着後に取り外す移動部材６を含む構成であればよい。このため、着脱ユニット２０は、感光ドラム２１のみで構成されるものであってもよく、また、感光ドラムと組み合わせる作像装置２の他の構成要素（帯電装置２２、現像装置２４、第１清掃装置２６等）も特に限定されない。
着脱ユニット２０の移動手段６の収容部６３に収容すべき先端側の部分は、上記補給受け部２４８以外の部分であっても構わない。
【符号の説明】
【００８８】
１  …画像形成装置
６  …移動部材（移動手段の一例）
７  …清掃部材（清掃手段の一例）
８  …接触防止部材（接触防止手段の一例）
１０…筐体（装置本体の一例）
２０…着脱ユニット
２１…感光ドラム（像保持手段の一例）
２３…露光装置（露光手段の一例）
２３２ａ…発光面（発光面の一例）
２４８…補給受け部（先端側の部分の一例）
Ｄ  …軸方向
Ｅ１…装着するときの移動方向
Ｅ２…取り外すときの移動方向
【図１】
2020148944.tif 000003
【図２】
2020148944.tif 000004
【図３】
2020148944.tif 000005
【図４】
2020148944.tif 000006
【図５】
2020148944.tif 000007
【図６】
2020148944.tif 000008
【図７】
2020148944.tif 000009
【図８】
2020148944.tif 000010
【図９】
2020148944.tif 000011
【図１０】
2020148944.tif 000012
【図１１】
2020148944.tif 000013
【図１２】
2020148944.tif 000014
【図１３】
2020148944.tif 000015
【図１４】
2020148944.tif 000016
【図１５】
2020148944.tif 000017